(57)【要約】      （修正有）【課題】容易かつ安全に嚥下機能向上を行うことのできる嚥下障害リハビリ義歯を提供する。【解決手段】使用者が、嚥下時に必要不可欠な咬合高径、上下顎の安定、および舌筋の強化が行える上下顎臼歯咬合部に弾性を有する樹脂で構成されたもの。嚥下障害リハビリ義歯は、既製の前歯部配列からなりまた、上下顎の床面を既存の弾性裏装剤で適合させることにより、歯科医療従事者、介護者および使用者が、容易かつ早期に嚥下障害リハビリの改善に寄与する。【選択図】図１
2016168287.tif 000002
【特許請求の範囲】
【請求項１】
上顎義歯臼歯部に相当する咬合部に弾性を有する樹脂部を備え、また下顎義歯臼歯部に相当する咬合部に弾性を有する樹脂部を備え、嚥下機能障害を有する使用者に嚥下時における適切な咬合高径および上下顎の安定を付与しうることを特徴とする嚥下障害リハビリ義歯。
【請求項２】
上記上下顎義歯は、上顎義歯単独または下顎義歯単独でも使用可能であることを特徴とする請求項１の嚥下障害リハビリ義歯    
【請求項３】
上記上下顎義歯の前歯部は、あらかじめ決められた既製前歯配列を特徴とする請求項１又は２のいずれか１項に記載された嚥下障害リハビリ義歯
【請求項４】
上記上下顎義歯の床部分は、使用者の顎堤の状況にあわせて対応できるよう弾性裏装剤等の適合が向上するように表面処理および表面加工されたことを特徴とする請求項１〜３のいずれか１項に記載された嚥下障害リハビリ義歯。
【請求項５】
上記上下顎義歯の臼歯部は、使用者の咬合力に応じた弾性樹脂の硬度を柔軟に交換対応できるように弾性樹脂臼歯部接合相当底面および側面を表面処理および表面加工されたことを特徴とする請求項１〜４のいずれか１項に記載された嚥下障害リハビリ義歯。
【請求項６】
上記上顎義歯は、使用者の舌の挙上不足を補うために通常の上顎義歯より口蓋部を厚くした口蓋肥厚部により、舌と上顎義歯の閉鎖不全を補うことを特徴とする請求項１〜５のいずれか１項に記載された嚥下障害リハビリ義歯
【請求項７】
上記上顎義歯は、使用者の舌の挙上力に応じた口蓋肥厚部の厚さを柔軟に交換対応できるように口蓋肥厚部相当底部を表面処理及び表面加工されたことを特徴とする請求項１〜６のいずれか１項に記載された嚥下障害リハビリ義歯
【請求項８】
上記上顎義歯の上顎切歯乳頭に相当する部位に隆起した舌尖当接部を形成したことを特徴とする請求項１〜７のいずれか１項に記載された嚥下障害リハビリ義歯
【発明の詳細な説明】
【技術分野】
【０００１】
本発明は、嚥下障害リハビリ義歯に係り、特に、医科歯科医療従事者、介護者あるいは本人が、容易かつ安全に嚥下を行うことのできる嚥下障害リハビリ義歯にに関するものである。
【背景技術】
【０００２】
一般的に、嚥下障害の方において、現場ではしばしば、無歯顎の状態での流動食です。本人は、常に誤嚥に注意を払いながらの厳しい状況におかれており、医科歯科医療従事者および介護者も、常に誤嚥に注意を払いながらの厳しい状況におかれています。
【０００３】
さらに、重篤となった方は、経鼻経菅栄養法さらには、胃瘻が施されています。しかし、昨今、医療現場から個人の尊厳の観点から口からの栄養摂取の口腔機能回復が求められている。
【０００４】
しかしながら、嚥下障害の多くの方は、上下顎の不安定な口腔内状態が長期間継続しているため、忍耐力が低下し舌筋の挙上力不足の使用者には、再度嚥下機能回復の目的に通常制作される義歯では、現実問題として非常に厳しい状況にある。
【発明の開示】
【発明が解決しようとする課題】
【０００５】
世界的に類を見ない超高齢化社会に日本は突入しており、特に医療現場での嚥下障害患者の効果的なリハビリ装置が期待されている。しかしながら、嚥下障害患者の多くは、嚥下機能に欠かせない咬合高径および上下顎安定に不可欠な入れ歯等の装置が、様々な要因から撤去され、上下顎が不安定で、舌筋の挙上力不足のまま、誤嚥の不安にさらされたままとなっている。
【０００６】
そこで本発明は、上述の如き課題を解決しようとするものであって、上下顎の不安定な口腔内状態が長期に渡っている使用者に、まずは流動食の嚥下リハビリ目的のために、上下顎義歯の臼歯部に相当する咬合面に弾性を有する樹脂を使用することで、適正な咬合高径、上下顎が安定することで嚥下関連筋群が活性化し、嚥下障害リハビリに貢献するものである。
【０００７】
また、上顎口蓋部に舌筋挙上力不足を補う口蓋肥厚部を備えることで、嚥下時における上顎義歯、舌筋、および咽頭筋による閉鎖不良の改善に貢献するものである。
【課題を解決するための手段】
【０００８】
上述の如き課題を解決するため、本願発明の嚥下障害リハビリ義歯においては、上下顎臼歯部相当部に弾性を有する樹脂を使用することにより、口腔状態の悪化した使用者が容易に上下顎の安定に寄与する義歯を構成した。
【０００９】
本願発明の嚥下障害リハビリ義歯は、既製の前歯部配列からなりまた、上下顎の床面を既存の弾性裏装剤で適合させることにより、歯科医療従事者、介護者および使用者が、容易かつ早期に嚥下障害リハビリの改善に寄与する。
【発明の効果】
【００１０】
本願発明の嚥下障害リハビリ義歯は、上下顎義歯の臼歯咬合部に弾性を有する樹脂を備えることにより、嚥下時における咬合高径および上下顎の安定が改善され嚥下障害のリハビリに効果が期待できる。
【００１１】
また、本願発明の嚥下障害リハビリ義歯は、通常嚥下障害によって入れ歯等が、取り除かれた口腔内が常態となっており、新規の義歯の作成には多大の医療行為および制作時間が通常必要であるが、本願発明の嚥下障害リハビリ義歯の前歯部は、あらかじめ決められた既製配列を特徴とすることから、大幅な時間的、身体的、精神的、物理的、医療的コストが削減できる。           
【００１２】
本願発明の嚥下障害リハビリ義歯は、通常嚥下障害によって入れ歯等が、取り除かれた口腔内が常態となっており、新規の義歯の作成には多大の医療行為および制作時間が通常必要であるが、本願発明の嚥下障害リハビリ義歯の上下顎義歯の床部分は、使用者の様々な顎堤の状況にあわせて対応できる弾性裏装剤等の適合が向上するように表面処理および表面加工されたことを特徴とするところから、大幅な時間的、身体的、精神的、物理的、医療的コストが削減できる。
【００１３】
本願発明の嚥下障害リハビリ義歯は、使用者のリハビリ改善度合いに応じた咬合力に適した弾性樹脂の硬度、および咬合高径を柔軟に対応できるように、臼歯部分だけを既製の弾性樹脂に交換できるように弾性樹脂臼歯部接合相当底面および側面を表面処理および表面加工されたことを特徴とすることから、新たな嚥下障害リハビリ義歯を再制作することもなく、使い慣れた嚥下障害リハビリ義歯を活用できることにより、大幅な時間的、身体的、精神的、物理的、医療的コストが削減できる。
【００１４】
一般的に、誤嚥の原因は、舌筋の挙上不良であることが知られている。
本願発明の嚥下障害リハビリ義歯は、通常の上顎義歯より口蓋部分を厚くし、舌筋の挙上力不足による上顎義歯との閉鎖不全を補うことを特徴とすることから嚥下障害のリハビリに効果が期待できる。
【００１５】
一般的に、正しい舌尖の位置は、上顎切歯乳頭部に接触していることが知られている。本願発明の嚥下障害リハビリ義歯は、上顎切歯乳頭部に舌尖当接部を有し、舌尖の正しい位置を学習することができる。
【発明を実施するための最良の形態】
【００１６】
以下、図面を用いて本発明の実施の形態について説明する。
本実施の形態に係る嚥下障害リハビリ義歯は、図１から図６に示すように上顎義歯の臼歯部相当部の弾性樹脂部及び下顎義歯の臼歯部相当部の弾性樹脂部と、上顎既製前歯部及び下顎既製前歯部と、切歯乳頭部相当部の突起及び口蓋肥厚部で構成されている。
【００１７】
図１は本発明の実施例に係る嚥下障害リハビリ義歯の側方図であり、上顎既製前歯部４と下顎既製前歯部５があらかじめ製作されているため、使用者の正中が容易に決定し、上下顎床面部に表面処理および加工部３があることにより、既存の弾性裏装剤の接着が得られやすく、術者、使用者にとって使い勝手がいい。
【００１８】
また、上顎臼歯部相当弾性樹脂部１と下顎臼歯部相当弾性樹脂部２は、それぞれ交換用接合加工部６があるため、使用者の熟達度によって柔軟に対応できる。
【００１９】
図２は、本発明の実施例に係る嚥下障害リハビリ義歯の上顎義歯横断面図であり、口蓋肥厚部７の床部に交換用接合加工部６があるため、使用者の熟達度によって柔軟に対応できる。
【００２０】
図３は、本発明の実施例に係る嚥下障害リハビリ義歯の上顎の下方図であり、上顎臼歯部相当弾性樹脂部１及び口蓋肥厚部７に、交換用接合加工部６があるため、上顎臼歯部相当弾性樹脂部１の幅、長さ、口蓋肥厚部７の厚さ、大きさなど、使用者の舌の大きさ、舌の挙上力に柔軟に対応できる。
【００２１】
図４は、本発明の実施例に係る嚥下障害リハビリ義歯の下顎の上方図であり、下顎臼歯部相当弾性樹脂部２に交換用接合加工部６があるため、下顎臼歯部相当弾性樹脂部２の幅、長さなど使用者の舌の大きさ、舌の挙上力に柔軟に対応できる。
【００２２】
図５は、本発明の実施例に係る嚥下障害リハビリ義歯の下顎の横断面図であり、 表面処理および加工部３があることにより、上顎義歯比べ安定しにくい下顎義歯の使い勝手が良い。
【００２３】
図６は、本発明の実施例に係る嚥下障害リハビリ義歯の上顎の縦断面図であり、交換用接合加工部６があるため、舌筋の挙上状態によって口蓋肥厚部７が、柔軟に対応でき、また、切歯乳頭部相当部の突起部８があることにより、舌根の挙上に重要な働きをする茎突舌筋の筋肉強化に効果がある。
【００２４】
なお、本発明は、前述した実施の形態に限定されるものではなく、必要に応じて種々の変更が可能である。  
【産業上の利用可能性】
【００２５】
本発明は、嚥下障害者の嚥下リハビリを行うための嚥下障害リハビリ義歯に適応可能である。
【図面の簡単な説明】
【００２６】
【図１】本発明の実施例1に係る嚥下障害リハビリ義歯の側方図。
【図２】本発明の実施例1に係る嚥下障害リハビリ義歯上顎の横断面図。
【図３】本発明の実施例1に係るの嚥下障害リハビリ義歯上顎の下方図。
【図４】本発明の実施例1に係る嚥下障害リハビリ義歯下顎の上方図。
【図５】本発明の実施例1に係るの嚥下障害リハビリ義歯下顎の横断面図。
【図６】本発明の実施例1に係る嚥下障害リハビリ義歯上顎の縦断面図。
【符号の説明】
【００２７】
１  上顎臼歯部相当弾性樹脂部
２  下顎臼歯部相当弾性樹脂部
３  表面処理および加工部
４  上顎既製前歯部
５  下顎既製前歯部
６  交換用接合加工部
７  口蓋肥厚部
８  切歯乳頭部相当部の突起部                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                    
【図１】
2016168287.tif 000003
【図２】
2016168287.tif 000004
【図３】
2016168287.tif 000005
【図４】
2016168287.tif 000006
【図５】
2016168287.tif 000007
【図６】
2016168287.tif 000008